(57)【要約】【課題】  建築用型枠の施工方法であって、複数の型枠兼用断熱パネルＰと、その型枠兼用断熱パネルＰの横幅よりも長い連結バーＪとを用いて断熱型枠を簡単容易に低コストで構築できるようにした。【解決手段】  設置面上に複数の型枠兼用断熱パネルＰを横方向に継いで順次に横積みして１段目の型枠兼用断熱パネル群Ｐ（１）を建て込み、その上面に、型枠兼用断熱パネルＰの継ぎ目１０を跨いで連結バーＪを差し込み、その連結バーＪ上に、２段目の型枠兼用断熱パネル群Ｐ（２）を建て込み、その作業の繰り返しにより、内、外の断熱型枠Ｍｉ，Ｍｏを構築し、それら内、外側の断熱型枠Ｍｉ，Ｍｏの相対応する連結バーＪ同士を複数のアッセンブリタイＡにより一体に結合する。【選択図】    図１
2008138437.tif 000002
【特許請求の範囲】
【請求項１】
型枠兼用断熱パネルを用いた建築用型枠の施工方法であって、
複数の型枠兼用断熱パネル（Ｐ）と、それらの型枠兼用断熱パネル（Ｐ）の横幅よりも長い複数の連結バー（Ｊ）とを分離して施工現場に輸送し、
設置面上に複数の型枠兼用断熱パネル（Ｐ）を横方向に継いで一列に順次に横積みして１段目の型枠兼用断熱パネル群（Ｐ（１））を建て込み、その１段目の型枠兼用断熱パネル群（Ｐ（１））上面に、複数の型枠兼用断熱パネル（Ｐ）の継ぎ目（１０）を跨いで連結バー（Ｊ）を差し込み、
つぎに、連結バー（Ｊ）上に、２段目の複数の型枠兼用断熱パネル（Ｐ）の下面を、それらのパネル（Ｐ）の継ぎ目（１０）を跨いで順次に差し込んで、１段目の型枠兼用断熱パネル群（Ｐ（１））上に連結バー（Ｊ）を介して２段目の型枠兼用断熱パネル（Ｐ）を横方向に継いで一列に順次に横積みして、２段目の型枠兼用断熱パネル群（Ｐ（２））を建て込み、２段目の型枠兼用断熱パネル群（Ｐ（２））の上面に、他の連結バー（Ｊ）を、それらの型枠兼用断熱パネル（Ｐ）の継ぎ目（１０）を跨いで差し込み、
つぎに、３段目の複数の型枠兼用断熱パネル（Ｐ）の下面を、それらのパネル（Ｐ）の継ぎ目（１０）を跨いで他の連結バー（Ｊ）に差し込んで、２段目の複数の型枠兼用断熱パネル群（Ｐ（２））上に他の連結バー（Ｊ）を介して３段目の型枠兼用断熱パネル（Ｐ）を横方向に継いで一列に順次に横積みして、３段目の型枠兼用断熱パネル群（Ｐ（３））を建て込み、
以上の作業の繰り返しにより、内、外の断熱型枠（Ｍｉ，Ｍｏ）をコンクリート打設空間（Ｓ）をあけて構築し、それら内、外側の断熱型枠（Ｍｉ，Ｍｏ）の相対応する連結バー（Ｊ）同士を複数のアッセンブリタイ（Ａ）により一体に結合することを特徴とする、建築用型枠の施工方法。
【請求項２】
請求項１記載の建築用型枠の施工方法に使用される断熱型枠であって、複数の型枠兼用断熱パネル（Ｐ）と、それらの型枠兼用断熱パネル（Ｐ）の横幅よりも長い複数の連結バー（Ｊ）とよりなり、
複数の型枠兼用断熱パネル（Ｐ）を横方向に順次に継いで横積みしてなる型枠兼用断熱パネル群（Ｐ（１）〜Ｐ（ｎ））を、前記連結バー（Ｊ）を挟んで上下方向に複数段に積込み、前記連結バー（Ｊ）は、上下段に横積の横型枠兼用断熱パネル群（Ｐ（１）〜Ｐ（ｎ））の各型枠兼用断熱パネル（Ｐ）の継ぎ目（１０）を跨いで上下段の型枠兼用断熱パネル（Ｐ）のスリット（４，５）に差込み結合されて、上下段に横積の横型枠兼用断熱パネル群（Ｐ（１）〜Ｐ（ｎ））を一体の結合してなることを特徴とする、断熱型枠。
【請求項３】
請求項１記載の建築用型枠の施工方法に使用されるアッセンブリタイであって、
直状部分と、その直状部分の両端に、その直状部分に対して鋭角に折り曲げられる係止部分（２１，２１）よりなる、アッセンブリタイ。
【発明の詳細な説明】
【技術分野】
【０００１】
本発明は、建物のコンクリート躯体を構築するための、建築用型枠の施工方法およびその施工方法に使用される断熱型枠およびアッセンブリタイに関する。
【背景技術】
【０００２】
従来、コンクリート躯体を構築するための建築用型枠において、型枠パネルとして、在来の合板製のコンクリートパネルに代えて、合成樹脂製の型枠兼用断熱パネルを用い、コンクリート躯体の構築後に、型枠兼用断熱パネルをそのコンクリート躯体から取り外さずに、そのまま建物の断熱壁として使用するようにしたものは、既に公知（特許文献１参照）である。
【特許文献１】特開２００６−１６９９２２号公報
【発明の開示】
【発明が解決しようとする課題】
【０００３】
ところで、前記従来の型枠兼用断熱パネルを使用した建築用型枠の施工方法では、断熱パネルの一面に、これと略同じ横幅寸法の連結バー（Ｔバー）を予め差込み連結しておき、これを施工現場に輸送し、その施工現場で断熱パネルを連結バーと共に所定寸法に切断し、さらに、断熱パネル同士を接続するときは、他の連結金物を必要としていた。
【０００４】
そのため、断熱パネルは、工場などで連結バーを差込み結合してから梱包し、輸送することになり、梱包容積が大きくなってその輸送コストが嵩み、また、現場にて、断熱パネルを硬質な連結バーと共に切断する作業が面倒である上に、断熱パネル同士を接続するのに他の連結金物を必要するため、全体として大幅なコスト増を招くという問題がある。
【０００５】
本発明は、かかる実情に鑑みてなされたものであり、前記問題を解決した新規な建築用型枠の施工方法およびこの方法に使用される断熱型枠およびアッセンブリタイを提供することを目的とする。
【課題を解決するための手段】
【０００６】
上記目的を達成するために、請求項１記載の発明は、型枠兼用断熱パネルを用いた建築用型枠の施工方法であって、
複数の型枠兼用断熱パネルと、それらの型枠兼用断熱パネルの横幅よりも長い複数の連結バーとを分離して施工現場に輸送し、
設置面上に複数の型枠兼用断熱パネルを横方向に継いで一列に順次に横積みして１段目の型枠兼用断熱パネル群を建て込み、その１段目の型枠兼用断熱パネル群上面に、複数の型枠兼用断熱パネルの継ぎ目を跨いで連結バーを差し込み、
つぎに、連結バー上に、２段目の複数の型枠兼用断熱パネルの下面を、それらのパネルの継ぎ目を跨いで順次に差し込んで、１段目の型枠兼用断熱パネル群上に連結バーを介して２段目の型枠兼用断熱パネルを横方向に継いで一列に順次に横積みして、２段目の型枠兼用断熱パネル群を建て込み、２段目の型枠兼用断熱パネル群の上面に、他の連結バーを、それらの型枠兼用断熱パネルの継ぎ目を跨いで差し込み、
つぎに、３段目の複数の型枠兼用断熱パネルの下面を、それらのパネルの継ぎ目を跨いで他の連結バーに差し込んで、２段目の複数の型枠兼用断熱パネル群上に他の連結バーを介して３段目の型枠兼用断熱パネルを横方向に継いで一列に順次に横積みして、３段目の型枠兼用断熱パネル群を建て込み、
以上の作業の繰り返しにより内、外側の断熱型枠を断熱型枠をコンクリート打設空間をあけて構築し、それら内、外側の断熱型枠の相対応する連結バー同士を複数のアッセンブリタイにより一体に結合することを特徴とする、建築用型枠の施工方法。
【０００７】
また、上記目的を達成するために、請求項２記載の発明は、請求項１記載の建築用型枠の施工方法に使用される断熱型枠であって、複数の型枠兼用断熱パネルと、それらの型枠兼用断熱パネルの横幅よりも長い複数の連結バーとよりなり、
複数の型枠兼用断熱パネルを横方向に順次に継いで横積みしてなる型枠兼用断熱パネル群前記連結バーを挟んで上下方向に複数段に積込み、前記連結バーは、上下段に横積の横型枠兼用断熱パネル群の各型枠兼用断熱パネルの継ぎ目を跨いで上下段の型枠兼用断熱パネルのスリットに差込み結合されて、上下段に横積の横型枠兼用断熱パネル群を一体の結合してなることを特徴としている。
【０００８】
さらに、上記目的を達成するために、請求項３記載の発明は、請求項１記載の建築用型枠の施工方法に使用されるアッセンブリタイであって、
直状部分と、その直状部分の両端に、その直状部分に対して鋭角に折り曲げられる係止部分よりなることを特徴としている。
【発明の効果】
【０００９】
本請求項１記載の発明によれば、複数の断熱パネルおよびその断熱パネルの横幅よりも長い複数の連結バーを用いて断熱型枠を建て込むことができるので、その断熱型枠の施工コストを大幅に低減することができる。
【００１０】
また、断熱パネルと連結バーは、それらを分離して梱包、輸送でき、現場にて断熱パネルと連結バーとを一体にしたものの切断作業が不要になるので、輸送コストを低減でき、断熱型枠の生産性を向上させることができる。
【００１１】
本請求項２記載の発明によれば、断熱型枠は、複数の断熱パネルと、その断熱パネルの横幅よりも長い連結バーにより建て込むことができるので、断熱型枠の構成が簡素化されて廉価に提供することができ、特に連結バーは、隣接する型枠兼用断熱パネルの継ぎ目を跨いでそれらの型枠兼用断熱パネルを結合でき、他の結合手段を用いることなく、その結合強度が高められる。
【００１２】
さらに、本請求項３記載の発明によれば、内、外側の断熱型枠を連結するアッセンブリタイは、アッセンブリタイの直状部分から鋭角に折り曲げられる係止部分を有しているので、アッセンブリタイによる断熱型枠の結合強度を高めることができる。
【発明を実施するための最良の形態】
【００１３】
以下、本発明の実施の形態を、添付図面に例示した本発明の実施例に基づいて以下に具体的に説明する。
【００１４】
図１は、断熱型枠の建て込み途中の状態を示す斜視図、図２は、型枠兼用断熱パネル、Ｔバーおよびアッセンブリタイの分解斜視図、図３は、図１の３矢視図、図４は、図３の４−４線に沿う拡大断面図、図５は、図４の５矢視仮想円囲い部分の拡大図、図６は、図５の６−６線に沿う断面図、図７は、図４の７矢視仮想円囲い部分の拡大図、図８は、断熱型枠の建て込み手順を示す図である。
【００１５】
コンクリート躯体壁を構築するための断熱型枠Ｍは、コンクリートの打設空間Ｓをあけて対設される、外側の断熱型枠Ｍｏおよび内側の断熱型枠Ｍｉとより構成される。
【００１６】
各断熱型枠Ｍｏ、Ｍｉはいずれも、複数の型枠兼用断熱パネルＰと、複数の連結バー（Ｔバー）Ｊとよりなり、それらは複数のアッセンブリタイＡにより結合される。
【００１７】
まず、断熱型枠Ｍの主体部分を構成する型枠兼用断熱パネルＰ（以下、断熱パネルとう）の構造について説明する。
【００１８】
断熱パネルＰは、横長の長方形の板状に形成され、高断熱性があり、しかも軽量であるポリスチレン、ポリウレタンなどの硬質の発泡合成樹脂材により作られ、適宜の寸法（この実施例では横幅１２０ｃｍ）に採寸、加工され、その外面１および内面２は、いずれも平坦面に形成される。また、それら内面１および外面２には、多数の縦方向の細溝３が形成されており、これらの細溝３は、断熱型枠Ｍを建て込む際の寸法合わせ等に利用される。    図４〜６に示すように、断熱パネルＰの上面および下面には、上下方向に一致させて、それらの全長にわたり、後述する連結バー（Ｔバー）Ｊを差し込むための上部スリット４および下部スリット５がそれぞれ上下方向に切り込まれており、それらのスリット４，５の内面一側には、断面弧状の複数の縦突条６が横方向に間隔をあけて平行に突設されている。また、断熱パネルＰの上面の内面側（コンクリート打設空間に対面する側）には、後述するＴバーの位置を決めるための段差凸部７がその全長にわたって一体に突設されている。また断熱パネルＰの下面には、その全長にわたり、その内面側（コンクリートの接触する側）から厚さ方向の途中まで、段差凹部８が形成されており、この段差凹部８は、後に述べるように、断熱型枠Ｍを立て込む際に、アッセンブリタイＡを受け入れるためのものである。
【００１９】
なお、最下段の断熱パネルＰの下部スリット５には、後述するスターティングベースＢの差込部分が抜差可能に差し込まれる。
【００２０】
図１，２に示すように、連結バーＪ（以下Ｔバーという）は、硬質の合成樹脂材により、横方向に長い帯状に形成され、その長さは、断熱パネルＰの横幅の複数倍の長さ（この実施例では３６０ｃｍ）を有し、後に述べるように、横積みされる複数の断熱パネルＰを、それらの継ぎ目１０を跨いで一体に接続することができる。図５に示すように、ＴバーＪは、垂直部分１１と、その垂直部分１１の中間より直角に張り出す水平部分１２とより断面Ｔ字状に形成されており、その水平部分１２には、後述するアッセンブリタイＡが差し込まれる複数の差込孔１３が穿設されている。ＴバーＪは、断熱パネルＰ内に埋入固定される。また、ＴバーＪの垂直部分１１の内面には、その長手方向に沿って延びる相互に平行な複数の断面三角状の係止爪１４が突設されている。
【００２１】
外側の断熱型枠Ｍｏと、内側の断熱型枠Ｍｉとを連結するアッセンブリタイＡは、鉄材などの金属材料によりかすがい状に形成されており、直状部分２０と、その直状部分２０の両端から鋭角に折り曲げられる左右係止部分２１，２１とよりなり、これらの係止部分２１，２１は、図５に示すように、直状部分２０に対して直角よりも若干内向きに傾斜（傾斜角約５°）している。そしてこのように折曲角を設定することにより、アッセンブリタイＡが、ＴバーＪの差込孔１３から抜けにくくされている。
【００２２】
つぎに、主に図８を参照して、断熱パネＰ、ＴバーＪおよびアッセンブリタイＡよりなる断熱型枠Ｍの施工方法について説明する。
【００２３】
まず、型枠工事に先行して設置面上の所定箇所に図示しない鉄筋工事が行われ、この鉄筋工事は、外側および内側の断熱型枠Ｍｏ，Ｍｉの存在しない状態で行い、その作業が容易である。
【００２４】
つぎに、外側および内側の断熱型枠Ｍｏ，Ｍｉが、断熱パネＰ、ＴバーＪおよびアッセンブリタイＡを用いて構築される。
【００２５】
複数の断熱パネルＰおよびＴバーＪは、施工現場に分離して輸送される。
【００２６】
つぎに、内、外側の断熱型枠Ｍｉ，Ｍｏの建て込み手順について説明する。
【００２７】
(1) 図８（ａ）に示すように、内、外の設置面（コンクリート基礎もしくはコンクリートスラブ）上に固定されるスターティングベースＢ（図１参照）上に、一段目（最下段）の複数の断熱パネルＰをそれぞれその長手方向を横に向けて垂直方向に順次に横積みする。横積みされる複数の断熱パネルＰの合計寸法Ｌ１と、構築すべき断熱型枠Ｍの横寸法Ｌ２との間に生じる半端部分には、断熱パネルＰより端材Ｐ′を切り出して、その端材Ｐ′を半端部分に横積みする。これにより、最下段の断熱パネル群Ｐ（１）が建て込まれる。      
【００２８】
内、外の最下段の断熱パネル群Ｐ（１）同士は、それらのＴバーＪに穿設される複数の差込孔１３に、複数のアッセンブリタイＡの係止部分２１を差し込むことにより連結される。
【００２９】
(2) つぎに、図８（ｂ）に示すように、１段目の断熱パネル群Ｐ（１）の上面に、端材Ｐ′側から、ＴバーＪの垂直部分１１の下半部を差込み連結する。長いＴバーＪは、端材Ｐ′および複数の断熱パネルＰの複数の継ぎ目１０を跨ぐので、このＴバーＪによって、継ぎ目１０がズレたり、遊離することなく、断熱パネルＰおよび端材Ｐ′の継ぎ目１０を強固に結合することができる。このとき、ＴバーＪに形成した複数の係止爪１４は、断熱パネルＰに食い込んでその結合強度が一層高められる。また、ＴバーＪは、一段目の断熱パネル群Ｐ（１）に対してその長手方向にスライド可能であり、該断熱パネル群Ｐ（１）に対する長手方向の位置調整が可能である。
【００３０】
断熱型枠Ｍの横寸法に対してＴバーＪの不足部分は、他のＴバーＪより切断した端材Ｊ′を断熱パネルＰの上面に差込み結合する。
【００３１】
(3) つぎに、図８（ｃ）に示すように、Ｔバー上に２段目の複数の断熱パネルＰ２をそれぞれその長手方向を横に向けて垂直方向に順次に横積みし、それらの断熱パネルＰの下面の下部スリット５をＴバーＪの垂直部分１１の上半部分に差し込み結合する。図８（ａ）と同じく、横積みされる複数の断熱パネルＰの合計寸法Ｌ１と、構築すべき断熱型枠Ｍの横寸法Ｌ２との間に生じる半端部分には、断熱パネルＰより端材Ｐ′を切り出して、その端材Ｐ′を半端部分に横積みする。これにより、ＴバーＪ上に２段目の断熱パネル群Ｐ（２）が建て込まれる。
【００３２】
内、外の２段目の断熱パネル群Ｐ（２）同士は、それらのＴバーＪに穿設される複数の差込孔１３に、複数のアッセンブリタイＡの係止部分２１を差し込むことにより連結される。
【００３３】
(4) つぎに、図８（ｄ）に示すように、２段目の断熱パネル群Ｐ（２）の上面に、端材Ｐ′側から、２段目のＴバーＪを差込み連結する。長いＴバーＪは、端材Ｐおよび複数の断熱パネルＰの複数の継ぎ目１０を跨ぐので、このＴバーＪによって、前記継ぎ目１０がズレたり、離間したりすることなく、断熱パネルＰの継ぎ目１０を強固に結合することができる。このとき、２段目のＴバーＪに形成した複数条の係止爪１４は、断熱パネルＰに食い込んでその結合強度が一層高められる。また、このＴバーＪは、２段目の断熱パネル群Ｐ（２）に対してその長手方向にスライド可能であり、該断熱パネル群Ｐ（２）に対する位置調整が可能である。
【００３４】
断熱型枠に対してＴバーの不足部分は、他のＴバーＪより切断した端材Ｊを断熱パネルＰの上面に差込み結合する。
【００３５】
２段目のＴバーＪ上には、前記図８（ｃ），（ｄ）の作業を繰り返すことにより、３段目の断熱パネル群Ｐ（３）さらにｎ段目（最上段）の断熱パネル群Ｐ（ｎ）を、ＴバーＪを介して順次に建て込むことにより、コンクリート打設空間を挟んで、図８（ｅ）に示すように内、外側の断熱型枠Ｍｉ，Ｍｏを構築することができる。
【００３６】
内、外の３段目の断熱パネル群Ｐ（３）以降ｎ段目の断熱パネル群Ｐ（ｎ）同士は、それらに対応するＴバーＪに穿設される複数の差込孔１３に、複数のアッセンブリタイＡの係止部分２１を差し込むことにより連結される。
【００３７】
以上のようにして、内、外の断熱型枠Ｍｉ，Ｍｏが建て込まれたら、それらの断熱型枠Ｍｏ，Ｍｉ間のコンクリート打設空間Ｓにコンクリートを打設してコンクリート躯体が構築される。コンクリート躯体の構築後は、前記内、外側の型枠Ｍｉ，Ｍｏは取り外さずにそのまま建物の断熱壁として利用される。
【００３８】
しかして、本発明によれば、横積みして順次に建て込まれる各段の断熱パネル群Ｐ（１）〜Ｐ（ｎ）の各複数の継ぎ目１０は、その継ぎ目１０を跨いで断熱パネルＰに差し込まれる、長いＴバーＪにより結合されるので、各段の断熱パネル群Ｐ（１）〜Ｐ（ｎ）の、断熱パネルＰの複数の継ぎ目１０は、そのＴバーＪにより強固に結合されて、それらがズレたり、遊離したりすることことがない。また、断熱パネルＰの継ぎ目１０を、別の結合手段により結合するようにした公知のもの（前記特許文献１参照）に比べて、断熱型枠Ｍの建て込み作業性が向上し、また、断熱型枠Ｍの建て込みコストが大幅に低減される。
【００３９】
さらに、断熱パネルＰとＴバーは、工場などで別々に生産し、それらを分離して施工現場に輸送するようにしているので、それらの生産性が向上し、またそれらの梱包容積が縮小して、それらの輸送効率を高めることができる。
【００４０】
以上、本発明の実施例について説明したが、本発明はその実施例に限定されることなく、本発明の範囲内で種々の実施例が可能である。
【図面の簡単な説明】
【００４１】
【図１】断熱型枠の建て込み途中の状態を示す斜視図
【図２】型枠兼用断熱パネル、Ｔバーおよびアッセンブリタイの分解斜視図
【図３】図１の３矢視図
【図４】図３の４−４線に沿う拡大断面図
【図５】図４の５矢視仮想円囲い部分の拡大図
【図６】図５の６−６線に沿う断面図
【図７】図４の７矢視仮想円囲い部分の拡大図
【図８】断熱型枠の建て込み手順を示す図
【符号の説明】
【００４２】
４・・・・・スリット（上部スリット）
５・・・・・スリット（下部スリット）
１０・・・・・継ぎ目
２１・・・・・係止部分（アッセンブリタイＡの）
Ｊ・・・・・連結バー（Ｔバー）
Ｍ・・・・・・断熱型枠
Ｍｏ・・・・・・外側の型枠
Ｍｉ・・・・・・内側の型枠
Ｐ・・・・・・型枠兼用断熱パネル（断熱パネル）
Ｐ（１）・・・１段目の型枠兼用断熱パネル群
Ｐ（２）・・・２段目の型枠兼用断熱パネル群
Ｐ（３）・・・３段目の型枠兼用断熱パネル群
Ｐ（ｎ）・・・ｎ段目の型枠兼用断熱パネル群
【図１】
2008138437.tif 000003
【図２】
2008138437.tif 000004
【図３】
2008138437.tif 000005
【図４】
2008138437.tif 000006
【図５】
2008138437.tif 000007
【図６】
2008138437.tif 000008
【図７】
2008138437.tif 000009
【図８】
2008138437.tif 000010